(57)【要約】      （修正有）【課題】マルチメディアストリームと関係付けられた制御データを複数の無線受信機に送信する。【解決手段】ディジタルマルチメディアは、単方向無線放送チャネル上で無線受信機へ放送し、マルチメディアを提示するのに必要な制御データは、双方向のポイントツウポイント無線リンク上で送信する。制御データは、マルチメディアストリームを解読するのに役立つ複数の暗号化キー、サービスへの加入や登録と関係付けられたデータ、再生に役立つ複数のアプリケーション、課金情報、ユーザの複数の好みに関係するデータ、およびマルチメディアストリームを与えることに関係するサービスの複数のレベルに関係するデータなどを含む。【選択図】図１
2011250425.tif 000002
【特許請求の範囲】
【請求項１】
下記を備える通信システム、
少なくとも１つのマルチメディアストリームを無線で放送する少なくとも１つの放送センター、
無線放送リンク上で前記ストリームを受信する少なくとも１つの無線受信機、前記受信機は、双方向無線リンク上で前記マルチメディアストリームに関係する制御データを与えられる。
【請求項２】
前記双方向無線リンクは、放送リンクと関係付けられていない、請求項１記載のシステム。
【請求項３】
放送リンクは、単方向であり、複数のＣＤＭＡの原理、複数のＧＳＭの原理、および複数のＯＦＤＭの原理の中の少なくとも１つによって特徴付けられる、請求項１記載のシステム。
【請求項４】
前記双方向無線リンクは、ＣＤＭＡリンク、ＧＳＭリンク、802.11リンク、およびブルートゥースリンクを含むグループから選択される、請求項１記載のシステム。
【請求項５】
前記双方向無線リンクは、ポイント ツウ ポイント無線通信リンクである、請求項１記載のシステム。
【請求項６】
前記受信機は、マルチメディアデータを表示する少なくとも１つのディスプレイをもつ移動通信デバイスである、請求項１記載のシステム。
【請求項７】
前記受信機は、マルチメディアオーディオデータの提示のための少なくとも１つのスピーカをもつ移動通信デバイスである、請求項１記載のシステム。
【請求項８】
前記制御データは、前記マルチメディアストリームを解読するのに役立つ少なくとも１つのキーと、マルチメディア放送サービスへの加入と関係付けられたデータと、マルチメディア放送ネットワーク上の登録と関係付けられたデータと、前記マルチメディアデータを復号するのに役立つ少なくとも１つのアプリケーションと、課金情報と、ユーザの複数の好みに関係するデータと、前記マルチメディアストリームを与えることに関係するサービスの複数のレベルに関係するデータとの中の少なくとも１つを含む、請求項１記載のシステム。
【請求項９】
複数のサービスは、双方向リンク上で注文される、請求項１記載のシステム。
【請求項１０】
複数の製品は、双方向リンク上で注文される、請求項１記載のシステム。
【請求項１１】
前記マルチメディアストリームを、少なくとも暗号化し、符号化し、および／または集約するのに役立つ少なくとも１つのディジタル放送マルチメディア（DBM）制御装置をさらに備える、請求項１記載のシステム。
【請求項１２】
前記制御データは、前記マルチメディアストリームをデインターリービング、圧縮解除、および復号するのに役立つデータを含む、請求項１記載のシステム。
【請求項１３】
前記制御データは、チャネルの選択および追跡のために、前記マルチメディアストリーム中へインデックスを付けるのに役立つデータを含む、請求項１記載のシステム。
【請求項１４】
少なくとも複数のキーをそこから受信するために前記ディジタル放送マルチメディア制御装置と通信する少なくとも１つのネットワーク制御センターをさらに備え、前記ネットワーク制御センターは前記双方向無線リンク上で前記無線受信機と通信する、請求項１１記載のシステム。
【請求項１５】
少なくとも、複数のマルチメディアストリームを再生することに関係する複数のアプリケーションを複数の受信機に与えるために前記ネットワーク制御センターと関係付けられた少なくとも１つのネットワーク制御センター制御装置をさらに備える、請求項１４記載のシステム。
【請求項１６】
双方向無線リンクを経由して、少なくとも、複数のマルチメディアストリームを再生することに関係する複数のアプリケーションを複数の受信機に与えるために、放送ネットワークオペレーションセンターと関係付けられた少なくとも１つのネットワークオペレーション制御装置(NOC）をさらに備える、請求項１４記載のシステム。
【請求項１７】
下記を備える、無線通信デバイスにマルチメディアストリームを与える方法、
無線放送チャネル上で前記マルチメディアストリームを放送することと、
前記デバイス上に前記マルチメディアストリームを表示するのに必要な制御データを、双方向無線リンク上で送信すること。
【請求項１８】
少なくともいくらかの制御データは前記無線デバイスに送信される、請求項１７記載の方法。
【請求項１９】
少なくともいくらかの制御データは前記無線デバイスから送信される、請求項１７記載の方法。
【請求項２０】
前記双方向無線リンクは、放送チャネルと関係付けられていない、請求項１７記載の方法。
【請求項２１】
放送チャネルは単方向である、請求項１７記載の方法。
【請求項２２】
放送リンクは、複数のＣＤＭＡの原理、複数のＧＳＭの原理、および複数のＯＦＤＭの原理の中の少なくとも１つによって特徴付けられる、請求項２１記載の方法。
【請求項２３】
前記双方向無線リンクは、ＣＤＭＡリンク、ＧＳＭリンク、およびＯＦＤＭリンクの中の少なくとも１つである、請求項１７記載の方法。
【請求項２４】
前記双方向無線リンクは、802.11リンク、ブルートゥースリンク、および衛星リンクの中の少なくとも１つであり、ポイント ツウ ポイント無線通信リンクである、請求項１７記載の方法。
【請求項２５】
受信機は、前記マルチメディアストリームを表示するための少なくとも１つのディスプレイと、マルチメディアオーディオデータの提示のための少なくとも１つのスピーカとをもつ移動通信デバイスである、請求項１７記載の方法。
【請求項２６】
前記制御データは、前記マルチメディアストリームを解読するのに役立つ少なくとも１つのキーを含む、請求項１７記載の方法。
【請求項２７】
前記制御データは、マルチメディア放送サービスへの加入と関係付けられたデータを含む、請求項１７記載の方法。
【請求項２８】
前記制御データは、マルチメディア放送ネットワーク上の登録と関係付けられたデータ、前記マルチメディアデータを再生するのに役立つ少なくとも１つのアプリケーション、課金情報、およびユーザの複数の好みに関係するデータの中の少なくとも１つを含む、請求項１７記載の方法。
【請求項２９】
前記制御データは、前記マルチメディアストリームを与えることに関係するサービスの複数のレベルに関係するデータを含む、請求項１７記載の方法。
【請求項３０】
前記マルチメディアストリームはディジタルであり、暗号化される、請求項１７記載の方法。
【請求項３１】
前記制御データは、前記マルチメディアストリームのデインターリービング、暗号化、圧縮解除、および復号に役立つデータを含む、請求項１７記載の方法。
【請求項３２】
前記制御データは、チャネルの選択および追跡のために、前記マルチメディアストリーム中へインデックスを付けるのに役立つデータを含む、請求項１７記載の方法。
【請求項３３】
双方向リンク上で、複数のサービスおよび複数の製品のうちの少なくとも一方を注文することを備える、請求項１７記載の方法。
【請求項３４】
下記を備える、少なくとも２つの通信リンクを使用して通信することができる無線クライアント局、
放送チャネル上で受信したディジタルマルチメディアストリームと、双方向無線リンク上で受信した制御データとを受信する少なくとも１つのプロセッサ、ここにおいて、前記プロセッサは、前記制御データを使用して、ディスプレイ上に前記マルチメディアストリームを提示できるようにする。
【請求項３５】
前記双方向無線リンクは、前記放送チャネルと関係付けられていない、請求項３４記載のクライアント局。
【請求項３６】
前記放送チャネルは、単方向である、請求項３４記載のクライアント局。
【請求項３７】
前記双方向無線リンクは、ＣＤＭＡリンク、802.11リンク、ＧＳＭリンク、衛星リンク、およびブルートゥースリンクの中の少なくとも１つである、請求項３４記載のクライアント局。
【請求項３８】
前記双方向無線リンクは、ポイント ツウ ポイント無線通信リンクである、請求項３４記載のクライアント局。
【請求項３９】
前記制御データは、前記マルチメディアストリームを解読するのに役立つ少なくとも１つのキーを含む、請求項３４記載のクライアント局。
【請求項４０】
前記制御データは、マルチメディア放送サービスへの加入と関係付けられたデータおよび／またはマルチメディア放送ネットワーク上の登録と関係付けられたデータを含む、請求項３４記載のクライアント局。
【請求項４１】
前記制御データは、前記マルチメディアデータを再生するのに役立つ少なくとも１つのアプリケーションを含む、請求項３４記載のクライアント局。
【請求項４２】
前記制御データは、ユーザの複数の好みに関係する課金情報データおよび／または前記マルチメディアストリームを与えることに関係するサービスの複数のレベルに関係するデータを含む、請求項３４記載のクライアント局。
【請求項４３】
前記マルチメディアストリームはディジタルであり、暗号化される、請求項３４記載のクライアント局。
【請求項４４】
前記制御データは、前記マルチメディアストリームをデインターリービング、解読、圧縮解除、および復号するのに役立つデータを含む、請求項３４記載のクライアント局。
【請求項４５】
前記制御データは、チャネルの選択および追跡のために、前記マルチメディアストリーム中へインデックスを付けるのに役立つデータを含む、請求項３４記載のクライアント局。
【請求項４６】
複数のサービスおよび複数の製品のうちの少なくとも一方が双方向リンク上で注文されることができる、請求項３４記載のクライアント局。
【請求項４７】
下記を備える、無線通信デバイスにマルチメディアストリームを与えるシステム、
無線放送チャネル上で前記マルチメディアストリームを放送するための手段と、
前記デバイス上に前記マルチメディアストリームを表示するのに必要な制御データを、双方向無線リンク上で、送信するための手段。
【請求項４８】
前記マルチメディアストリームを暗号化するための手段をさらに備える、請求項４７記載のシステム。
【請求項４９】
前記暗号化手段と通信するための手段は、そこから複数のキーを少なくとも受信するためのものであり、前記手段は前記双方向無線リンク上で無線受信機と通信するためのものである、請求項４８記載のシステム。
【請求項５０】
複数のマルチメディアストリームを再生することに関係する複数のアプリケーションを、複数の受信機に与えるための、前記通信するための手段と通信する、手段をさらに備える、請求項４９記載のシステム。
【発明の詳細な説明】
【関連技術】
【０００１】
［関連出願の相互参照］
本出願は、2003年1月22日に出願され、この中では全体的に参考によって取り入れられている米国仮特許出願第60/442,007号の特長に対して権利を主張している。
【技術分野】
【０００２】
本発明は、概ね、コンピュータを用いた通信システムに関する。
【背景技術】
【０００３】
ビデオおよび音楽のようなディジタルマルチメディアデータは、無線電話のような移動受信機のユーザがそのマルチメディアを再生するために、該移動受信機へ無線で送信されることができる。このようなデータは典型的に放送されることができる。
【０００４】
マルチメディアデータ自体に加えて、補助的な制御データも複数の受信機に与えなければならない。この制御データは、例えば、マルチメディアデータの権利を保護するために暗号化されるマルチメディアデータを解読するための複数の解読キーを含む。また、制御データは、放送へのユーザの加入、放送サービスへのユーザの登録、課金情報、およびアクセス制御データに関係する情報を含むことができる。
【０００５】
ディジタルメディアを無線放送するための現在の方法は、マルチメディアデータと共に制御データを送る。ここにおいて認識されるように、これは、マルチメディアデータを搬送するのに利用可能な通信バンド幅の量を低減し、したがってバンド幅消費型（bandwidth-intensive）となる傾向がある。さらに加えて、本発明では、例えば、内容を容易に解読するには、より多くなく、不十分であるほど僅かしか、解読キーをもっていなくても、この複数のキーを、この複数のキーによって解読されるべきマルチメディアデータと共に送ることが、セキュリティ上の問題をもたらしていることを認識している。暗号化された内容を傍受する無許可の盗聴者も、それを解読するのに役立つ少なくともいくらかの情報を受信し、その結果、内容を無断使用することに相当に近付く。
【発明の概要】
【０００６】
通信システムは、複数のマルチメディアストリームを複数の無線受信機へ無線放送リンク上で無線で放送する放送センターを含む。該複数の受信機は、マルチメディアストリームと関係付けられた制御データを双方向無線リンク上で与えられる。
【０００７】
好ましい実施形態では、双方向無線リンクは、ＣＤＭＡリンク、802.11リンク、またはブルートゥースリンクである。また、双方向無線リンクは、ポイント ツウ ポイント無線通信リンクであることができる。
【０００８】
例示的な実施形態では、制御データは、マルチメディアストリームを解読するのに役立つ複数の暗号化キーを含むことができる。制御データは、マルチメディア放送サービスへの加入と関係付けられたデータ、マルチメディア放送ネットワーク上の登録と関係付けられたデータ、およびマルチメディアデータを再生するのに役立つ複数のアプリケーションも含むことができる。さらに加えて、制御データは、課金情報、ユーザの複数の好みに関係するデータ、およびマルチメディアストリームを与えることに関係するサービスの複数のレベルに関係するデータを含むことができる。
【０００９】
とくに好ましい実施形態では、ディジタル権利管理（digital right management, DRM）サーバを含むマルチメディアサーバが与えられ、複数のマルチメディアストリームを暗号化するのに役立つ。また、ディジタル放送マルチメディア（digital broadcast multimedia, DBM）制御装置が与えられ、ＤＲＭサーバから複数の暗号化キーを得て、該複数のキーを許可されたユーザへ送信するのに役立つ。また、ＤＢＭ制御装置は、ネットワーク制御センター（network control center, NCC）を使用して、複数のキーを許可された複数のユーザ受信機へ送信することができる。ネットワーク制御センターは、双方向無線リンク上で複数の無線受信機と通信する。アプリケーションサーバは、ＤＢＭ制御装置と関係付けられ、複数のマルチメディアストリームを再生することに関係する複数のアプリケーションを、複数の受信機に与える。アプリケーションサーバは、ネットワーク制御センターとも関係付けられ、複数のマルチメディアストリームを再生することに関係する複数の追加のアプリケーションを、複数の受信機に与える。上述のサーバの一部または全ては、互いに別々であっても、または一緒に統合されることができる。
【００１０】
別の態様では、マルチメディアストリームを無線通信デバイスに与える方法は、マルチメディアストリームを無線放送チャネル上で放送することと、マルチメディアストリームをデバイス上に表示するのに必要な制御データを、双方向無線リンク上で送信することとを含む。
【００１１】
さらに別の態様では、少なくとも２つの通信リンクを使用して通信することができる無線クライアント局は、放送チャネル上のディジタルマルチメディアストリームと、双方向無線リンク上の制御データとを受信するプロセッサを含む。プロセッサは、制御データを使用して、マルチメディアストリームをディスプレイ上に提示すること(presentation)ができるようにする。
【００１２】
また別の態様では、マルチメディアストリームを無線通信デバイスに与えるシステムは、無線放送チャネル上でマルチメディアストリームを放送する手段を含む。また、システムは、双方向無線リンク上で、マルチメディアストリームをデバイス上に表示するのに必要な制御データを送信する手段を含む。
【００１３】
本発明の、その構造および動作の両者についての詳細は、添付の図面を参照すると、最もよく理解することができる。この中で、同様の参照符号は、同様の部分を指す。
【図面の簡単な説明】
【００１４】
【図１】本発明のシステムのブロック図。
【図２】放送単方向チャネル上で複数の放送マルチメディアストリームを、双方向のポイント ツウ ポイントリンク上で制御データおよび複数の暗号化キーを与える本発明の処理のフローチャート。
【図３】制御情報転送の論理を示すフローチャート。
【図４】課金論理のフローチャート。
【発明を実施するための最良の形態】
【００１５】
最初に図１を参照すると、全体的に参照符号10で指示されたシステムが示されており、システム10は、放送ネットワークオペレーションセンター（network operations center, NOC）12を含み、ＮＯＣ12は、好ましくは単方向チャネル14を使用して、ディジタルマルチメディアの内容を複数のマルチメディアストリームの形で無線移動局16（簡潔化のために、１つのみの移動局16が示されている）へ無線で放送する。また、移動局16は、プログラムのタイミングおよび符号情報を、放送チャネル14のページングチャネルまたは同期チャネル、あるいはこの両者の上で受信して、（ＤＯを用いたアーキテクチャのための）プログラムスロットか、または（ＣＤＭＡを用いたアーキテクチャのための）ウォルシュチャネルを追跡することができる。
【００１６】
複数のマルチメディアストリームは、ＮＯＣ12と通信するか、または、さもなければ、関係付けられている１つ以上の源18から出力される。複数のストリームは、コンピュータを搭載したマルチメディアサーバ20へ送られ、マルチメディアサーバ20は、希望であれば、別々の、または一体構成のディジタル権利管理（ＤＲＭ）サーバを含み、この分野において知られているディジタル権利管理の複数の原理にしたがって、サーバ20によって生成されるか、あるいはディジタル放送メディア（digital broadcast media, DBM）制御装置22または他の源によって双方向リンク上で与えられる複数の暗号化キーを使用して、該複数のストリームを暗号化する。したがって、マルチメディアサーバ20は、統合された、または別々のディジタル権利管理センターを含み、ディジタルの権利のポリシーを実施するのに適した複数の暗号化キーを与えることができる。
【００１７】
好ましいＤＢＭ制御装置22は、ＢＲＥＷサーバのような放送アプリケーションサーバ22aを含み、放送アプリケーションサーバ22aは、別途記載するように、双方向リンクを経由して、ソフトウエアおよび更新を移動局16に与える。また、好ましい、制約のないＤＢＭ制御装置22は、放送顧客マネージャ22ｂを含み、放送顧客マネージャ22ｂは、別途記載するように、双方向リンクを経由して、制御、複数の加入サービス、および課金に関係するデータを、移動局16と交換する。希望であれば、放送アプリケーションサーバ22ａおよび放送顧客マネージャ22ｂは、ＤＢＭ制御装置22から物理的に離れているが、それでも、ＤＢＭ制御装置22と通信できるものであることができる。
【００１８】
複数のマルチメディアストリームは、ＮＯＣ12の単方向放送無線トランシーバシステム24によって送信される。トランシーバシステム24は、複数のＣＤＭＡの原理、複数のＧＳＭ(登録商標)の原理、あるいは広帯域ＣＤＭＡ（ＷＣＤＭＡ）、ｃｄｍａ２０００（例えば、ｃｄｍａ２０００ １ｘまたは３ｘのエアーインターフェイス標準）、ＴＤＭＡ、またはＴＤ−ＳＣＤＭＡ、およびＯＦＤＭを含む他の複数の無線原理を、制限なく、使用することができる。
【００１９】
示されているように、移動局16はプロセッサ26を含み、プロセッサ26は、複数のマルチメディアストリームをディスプレイ28上に提示するために、オーディオ、ビデオ、またはオーディオ／ビデオ（audio/video, A/V）ディスプレイ28を駆動する。また、移動局16は、少なくとも1つの、場合によっては、２つ（または、それ以上）の通信受信機システム30、32を含む。第１のシステム30は、ＮＯＣ12との通信のために構成されている。対照的に、第２のシステム32は、双方向のポイント ツウ ポイントリンク上での通信のために構成されている。２つ以上の受信機が使用されるときは、希望であれば、両方の受信機を同一コンピュータチップ上で実行することができる。
【００２０】
図１は、１つの制約のない実施形態において、ネットワーク制御センター（network control center, NCC）34が、双方向のポイント ツウ ポイントリンク36上で移動局16と通信することも示している。また、ＮＣＣ34は、短く開示される複数の原理にしたがって、ＮＯＣ12と通信し、単方向放送リンク14に加えて、ＮＯＣ12と移動局16とのデータ通信のための第２の経路を効率的に設定する。別の実施形態では、移動局16とＤＢＭ制御装置22との通信の第２の経路は、双方向の無線ポイント ツウ ポイントリンクを通り、これはＮＣＣを必ずしも通らず、例えば、ＤＢＭ制御装置22へ直接につながるブルートゥースリンクまたは802. 11リンクであることができる。
【００２１】
ＮＣＣ34は、民間の無線電話会社のＮＣＣであることができる。リンク36の複数の通信原理が、ＮＯＣ12と通信するのに使用されるのと同じ移動局内の通信受信機の使用を除外しているときは、移動局16の第２の受信機32を使用して、ＮＣＣ34と通信する。双方向リンク36は、例えば、ＣＤＭＡを用いたリンク、またはＧＳＭを用いたリンクであることができる。
【００２２】
ＮＣＣ34が使用されるとき、ＮＣＣ34は、双方向無線トランシーバシステム38を含み、別途記載する開示にしたがって、移動局16との間でデータを双方向で通信する。ＮＣＣ34内には、ＮＣＣ制御装置／ルータ40も含まれることができ、ＤＢＭ制御装置22から、例えば、複数の暗号化キーと、ソフトウエアおよびソフトウエア更新を含む他の情報とを受信し、該情報を移動局16へと、例えば、放送チャネル14上で受信した暗号化された複数のマルチメディアストリームの解読のために送信する。ＤＢＭ制御装置22からの、後述する他の制御データは、ＤＢＭ制御装置22とＮＣＣ制御装置40との間で交換されることができる。ＮＣＣ制御装置40およびＤＢＭ制御装置22は、他の複数のリンクが使用されることができるが、インターネット接続による仮想私設ネットワーク（virtual private network, VPN）のような、セキュアな接続を使用して通信することが好ましい。
【００２３】
したがって、ここで、“制御データ”は複数の暗号化キーと、放送チャネル14上でのマルチメディアの商品としての提供を支援するのに一般に必要な他の複数のタイプの情報とを含むことが分かるであろう。これは、マルチメディア放送サービスへの加入と関係付けられたデータと、マルチメディア放送ネットワーク上の登録と関係付けられたデータとを含むことができる。また、制御データは、マルチメディアデータを再生するか、または使用可能なタイトルを見るのに役立つ、複数のＢＲＥＷアプリケーションまたは複数のＢＲＥＷに付属のアプリケーションのような、複数のソフトウエアアプリケーションを含むことができる。さらに加えて、移動局16とＤＢＭ制御装置22との間で、例えば、ＮＣＣ34を経由して、交換することができる制御データは、ユーザの複数の好みに関係するサービスまたは製品の注文情報およびデータと、マルチメディアストリームを与えることに関係するサービスの複数のレベルに関係するデータとを含むことができる。また、課金するのに必要なデータを、ＤＢＭ制御装置22とＮＣＣ制御装置40との間で交換することもできる。その上、移動局のユーザは、双方向リンク上で複数の製品および複数のサービスを注文することができる。制御データは、マルチメディアストリームのデインターリービング(de-interleaving)、圧縮解除(decompressing)、および復号に役立つデータと、チャネルの選択および追跡のためにマルチメディアストリーム中へインデックスを付ける(indexing)のに役立つデータも含むことができる。
【００２４】
例えば、移動局16のユーザは、双方向リンク36を使用して、放送ネットワーク上に登録することができる。ユーザは、放送チャネル14上で与えられる種々のマルチメディア放送サービスにも加入し、サービスのレベル（例えば、基本層のみ、および基本層および拡張層、など）についての好みを示し、それにしたがって課金されることもできる。さらに加えて、ユーザは、リンク36上で使用可能なプログラムのタイトルのリストを受信し、放送チャネル14上で受信するマルチメディアストリームのタイトルを選択することができる。
【００２５】
コンピュータを使用して行うことができる本発明の処理は、図２を参照して理解することができる。ブロック42において始まり、複数の暗号化キーは、この分野において知られているキーの複数の原理にしたがって、例えば、マルチメディア（multimedia, MM）サーバ20と関係付けられているＤＲＭセンターによって、またはＤＢＭ制御装置22によって生成される。ＸｒＭＬ、ＯＤＲＬ、などのような、標準権利表現言語は、個々のユーザのライセンスの権利を表現するのに用いることができる。高度暗号化標準（Advanced Encryption Standard, AES）、等のような暗号化方法を、複数のキーの生成および複数のマルチメディアストリームの暗号化に使用することができる。ブロック44において、複数のキーをＮＯＣ12のマルチメディアサーバ20に与え、ブロック46において、複数のキーを使用して、複数のマルチメディアストリームを暗号化し、ブロック48において、放送する。
【００２６】
図２は、上述の論理と並行して、ブロック42において、複数のキーが生成されると、ＤＢＭ制御装置22を使用して、双方向リンク36上で、ＮＣＣ34を経由して、移動局へそれらのキーを与えることができることを示している。ブロック49において、移動局16は、１本以上のマルチメディアストリームを復号するための１つ以上のプログラムキーの必要を判断し、双方向リンク36によるＮＣＣ34を経由するデータ接続を要求する。ブロック52において、移動局16は、ＤＲＭサーバから複数のキーを要求する。ブロック53において、移動局の要求（複数のキーを受信するためのそれの権利）がＤＲＭサーバによって認証される。移動局が複数のキーの受信を許可されると仮定すると、ブロック50において、複数のキーは、ＤＢＭ制御装置22から、ＮＣＣ制御装置／ルータ40へ送られる。そこから、ブロック54において、複数のキーは、双方向リンク36を使用して、（例えば、リンク36が、制御装置22を移動局16へ直接にリンクするブルートゥースまたは802.001リンクであるときは）ＤＢＭ制御装置22から直接に、またはＮＣＣ34を経由して、移動局16へ送られる。ブロック56において、移動局は、放送チャネル14上で受信した内容を、双方向のポイント ツウ ポイントリンク36上で受信した複数のキーを使用して解読する。
【００２７】
ここで、図３を参照すると、ブロック58において、移動局16による選択に対して、上述で触れたある特定の制御情報を、双方向リンク36上で与えることができる。例えば、移動局16のユーザが、上述で触れた特定のプログラム、加入、または放送忠実度オプション、等を登録または選択できるようにすることに関係する制御情報を与え、その結果、ユーザは、希望のサービスオプションを適切に選択し、ブロック60において、その選択を（例えば、ＮＣＣ34を経由して）ＤＢＭ制御装置22へ再び送信することができる。ブロック61において、応答して、情報は放送顧客マネージャ22ｂによって記憶され、マルチメディアストリームを復号するパラメータが、双方向リンク36上で移動局16へ再び送信される。ブロック62において、制御情報の交換と関係付けられた複数のマルチメディアストリームが送られ、移動局16によって復号される。
【００２８】
同様に、図４は、課金情報が、双方向リンク36上で交換されることを示している。ブロック64において始まり、例えば、移動局16のユーザによって選択された特定のプログラム、加入、または放送忠実度オプションに関係する制御情報が、ＮＯＣ12のＤＢＭ制御装置22から集められる。いくつかの実行では、制御情報はＮＣＣ34によって一時的に保持され、この場合は、制御情報は一時記憶装置から集められる。また、ブロック66において、実際に移動局16に与えることに成功した複数のサービスに関係する情報が集められる。ブロック68において、ブロック64および66において集められた情報を使用して、移動局16の顧客ユーザに課金する。
【００２９】
この中で詳しく示され、記載されている特定のSYSTEM AND METHOD FOR CONTROLLING BROADCAST MULTIMEDIA USING PLURAL WIRELESS NETWORK CONNECTIONSは、本発明の上述の目的を完全に実現することができる一方で、これが、本発明の現在の好ましい実施形態であり、したがって、本発明によって広く検討される課題を表わしていること、本発明の技術的範囲が、当業者には明らかになる他の実施形態を十分に含むこと、このために、本発明の技術的範囲が、本発明の特許請求項のみによって制限されることが分かるであろう。特許請求項の中で、要素を単数形で記載しているのは、“１つおよび１つのみ”を意味すると明示的に記載されていない限り、そのように意味することを意図しているのではなく、むしろ“１つ以上”を意味することを意図している。当業者には知られているか、または将来知られることになる上述の好ましい実施形態の要素と構造および機能上等しい全てのものは、参照によってこの中に明らかに取入れられ、本発明の特許請求項によって含まれることが意図されている。さらに加えて、本発明によって解決されることが求められている各および全ての問題に対処するデバイスまたは方法は、本発明の特許請求項によって含まれる必要はない。さらにその上、本発明の開示の中の要素、構成要素、または方法のステップは、その要素、構成要素、または方法のステップが特許請求項内に明示的に記載されているかどうかに関らず、一般向けであることを意図されていない。“（のための）手段(means for)”という語句を使用して明示的に記載されていないか、方法の特許請求項の場合は、要素が“動作（act）”の代わりに、“ステップ(step)”として記載されていない限り、この中の権利を主張している要素は、米国特許法第１１２条第６項の規定のもとにあると解釈されない。
【図１】
2011250425.tif 000003
【図２】
2011250425.tif 000004
【図３】
2011250425.tif 000005
【図４】
2011250425.tif 000006
【手続補正書】
【提出日】平成23年7月21日(2011.7.21)
【手続補正１】
【補正対象書類名】特許請求の範囲
【補正対象項目名】全文
【補正方法】変更
【補正の内容】
【特許請求の範囲】
【請求項１】
下記を備える、少なくとも２つの通信リンクを使用して通信することができる無線クライアント局、
放送チャネル上でディジタルマルチメディアストリームを、双方向無線リンク上で制御データを受信するように構成された少なくとも１つのプロセッサ、ここにおいて、前記プロセッサは、前記制御データを使用して、ディスプレイ上の前記マルチメディアストリームの提示を可能にするように構成される、ここにおいて、前記双方向無線リンクは、ポイント ツウ ポイント無線通信リンクである、ここにおいて、前記制御データは、前記マルチメディアストリームを解読するのに役立つ少なくとも１つのキーと、前記マルチメディアデータを再生するのに役立つ少なくとも１つのアプリケーションと、を含む。
【請求項２】
前記双方向無線リンクは、前記放送チャネルと関係付けられていない、請求項１記載のクライアント局。
【請求項３】
前記放送チャネルは、単方向である、請求項１記載のクライアント局。
【請求項４】
前記双方向無線リンクは、ＣＤＭＡリンク、802.11リンク、ＧＳＭリンク、衛星リンク、およびブルートゥースリンクの中の少なくとも１つである、請求項１記載のクライアント局。
【請求項５】
前記制御データは、マルチメディア放送サービスへの加入と関係付けられたデータおよび／またはマルチメディア放送ネットワーク上の登録と関係付けられたデータを含む、請求項１記載のクライアント局。
【請求項６】
前記制御データは、ユーザの複数の好みに関係する課金情報データおよび／または前記マルチメディアストリームを与えることに関係するサービスの複数のレベルに関係するデータを含む、請求項１記載のクライアント局。
【請求項７】
前記マルチメディアストリームはディジタルであり、暗号化される、請求項１記載のクライアント局。
【請求項８】
前記制御データは、前記マルチメディアストリームをデインターリービング、解読、圧縮解除、および復号するのに役立つデータを含む、請求項１記載のクライアント局。
【請求項９】
前記制御データは、チャネルの選択および追跡のために、前記マルチメディアストリーム中へインデックスを付けるのに役立つデータを含む、請求項１記載のクライアント局。
【請求項１０】
複数のサービスおよび複数の製品のうちの少なくとも１つが前記双方向リンク上で注文されることができる、請求項１記載のクライアント局。
【請求項１１】
下記を備える、無線クライアント局において少なくとも２つの通信リンクを使用して通信する方法、
放送チャネル上でディジタルマルチメディアストリームを、双方向無線リンク上で制御データを、受信すること、ここにおいて、前記制御データは、ディスプレイ上の前記マルチメディアストリームの提示を可能にするために用いられ、前記双方向無線リンクは、ポイント ツウ ポイント無線通信リンクである、ここにおいて、前記制御データは、前記マルチメディアストリームを解読するのに役立つ少なくとも１つのキーと、前記マルチメディアデータを再生するのに役立つ少なくとも１つのアプリケーションと、を含む。
【請求項１２】
前記双方向無線リンクは、前記放送チャネルと関係付けられていない、請求項１１記載の方法。
【請求項１３】
前記放送チャネルは、単方向である、請求項１１記載の方法。
【請求項１４】
前記双方向無線リンクは、ＣＤＭＡリンク、802.11リンク、ＧＳＭリンク、衛星リンク、およびブルートゥースリンクの中の少なくとも１つである、請求項１１記載の方法。
【請求項１５】
前記制御データは、マルチメディア放送サービスへの加入と関係付けられたデータおよび／またはマルチメディア放送ネットワーク上の登録と関係付けられたデータを含む、請求項１１記載の方法。
【請求項１６】
前記制御データは、ユーザの複数の好みに関係する課金情報データおよび／または前記マルチメディアストリームを与えることに関係するサービスの複数のレベルに関係するデータを含む、請求項１１記載の方法。
【請求項１７】
前記マルチメディアストリームはディジタルであり、暗号化される、請求項１１記載の方法。
【請求項１８】
前記制御データは、前記マルチメディアストリームをデインターリービング、解読、圧縮解除、および復号するのに役立つデータを含む、請求項１１記載の方法。
【請求項１９】
前記制御データは、チャネルの選択および追跡のために、前記マルチメディアストリーム中へインデックスを付けるのに役立つデータを含む、請求項１１記載の方法。
【請求項２０】
複数のサービスおよび複数の製品のうちの少なくとも１つが前記双方向リンク上で注文されることができる、請求項１１記載の方法。
【手続補正２】
【補正対象書類名】明細書
【補正対象項目名】００２９
【補正方法】変更
【補正の内容】
【００２９】
この中で詳しく示され、記載されている特定のSYSTEM AND METHOD FOR CONTROLLING BROADCAST MULTIMEDIA USING PLURAL WIRELESS NETWORK CONNECTIONSは、本発明の上述の目的を完全に実現することができる一方で、これが、本発明の現在の好ましい実施形態であり、したがって、本発明によって広く検討される課題を表わしていること、本発明の技術的範囲が、当業者には明らかになる他の実施形態を十分に含むこと、このために、本発明の技術的範囲が、本発明の特許請求項のみによって制限されることが分かるであろう。特許請求項の中で、要素を単数形で記載しているのは、“１つおよび１つのみ”を意味すると明示的に記載されていない限り、そのように意味することを意図しているのではなく、むしろ“１つ以上”を意味することを意図している。当業者には知られているか、または将来知られることになる上述の好ましい実施形態の要素と構造および機能上等しい全てのものは、参照によってこの中に明らかに取入れられ、本発明の特許請求項によって含まれることが意図されている。さらに加えて、本発明によって解決されることが求められている各および全ての問題に対処するデバイスまたは方法は、本発明の特許請求項によって含まれる必要はない。さらにその上、本発明の開示の中の要素、構成要素、または方法のステップは、その要素、構成要素、または方法のステップが特許請求項内に明示的に記載されているかどうかに関らず、一般向けであることを意図されていない。“（のための）手段(means for)”という語句を使用して明示的に記載されていないか、方法の特許請求項の場合は、要素が“動作（act）”の代わりに、“ステップ(step)”として記載されていない限り、この中の権利を主張している要素は、米国特許法第１１２条第６項の規定のもとにあると解釈されない。
以下に、本願の出願当初請求項に記載された発明を付記する。
［１］
下記を備える通信システム、
少なくとも１つのマルチメディアストリームを無線で放送する少なくとも１つの放送センター、
無線放送リンク上で前記ストリームを受信する少なくとも１つの無線受信機、前記受信機は、双方向無線リンク上で前記マルチメディアストリームに関係する制御データを与えられる。
［２］
前記双方向無線リンクは、放送リンクと関係付けられていない、上記［１］記載のシステム。
［３］
放送リンクは、単方向であり、複数のＣＤＭＡの原理、複数のＧＳＭの原理、および複数のＯＦＤＭの原理の中の少なくとも１つによって特徴付けられる、上記［１］記載のシステム。
［４］
前記双方向無線リンクは、ＣＤＭＡリンク、ＧＳＭリンク、802.11リンク、およびブルートゥースリンクを含むグループから選択される、上記［１］記載のシステム。
［５］
前記双方向無線リンクは、ポイント ツウ ポイント無線通信リンクである、上記［１］記載のシステム。
［６］
前記受信機は、マルチメディアデータを表示する少なくとも１つのディスプレイをもつ移動通信デバイスである、上記［１］記載のシステム。
［７］
前記受信機は、マルチメディアオーディオデータの提示のための少なくとも１つのスピーカをもつ移動通信デバイスである、上記［１］記載のシステム。
［８］
前記制御データは、前記マルチメディアストリームを解読するのに役立つ少なくとも１つのキーと、マルチメディア放送サービスへの加入と関係付けられたデータと、マルチメディア放送ネットワーク上の登録と関係付けられたデータと、前記マルチメディアデータを復号するのに役立つ少なくとも１つのアプリケーションと、課金情報と、ユーザの複数の好みに関係するデータと、前記マルチメディアストリームを与えることに関係するサービスの複数のレベルに関係するデータとの中の少なくとも１つを含む、上記［１］記載のシステム。
［９］
複数のサービスは、双方向リンク上で注文される、上記［１］記載のシステム。
［１０］
複数の製品は、双方向リンク上で注文される、上記［１］記載のシステム。
［１１］
前記マルチメディアストリームを、少なくとも暗号化し、符号化し、および／または集約するのに役立つ少なくとも１つのディジタル放送マルチメディア（DBM）制御装置をさらに備える、上記［１］記載のシステム。
［１２］
前記制御データは、前記マルチメディアストリームをデインターリービング、圧縮解除、および復号するのに役立つデータを含む、上記［１］記載のシステム。
［１３］
前記制御データは、チャネルの選択および追跡のために、前記マルチメディアストリーム中へインデックスを付けるのに役立つデータを含む、上記［１］記載のシステム。
［１４］
少なくとも複数のキーをそこから受信するために前記ディジタル放送マルチメディア制御装置と通信する少なくとも１つのネットワーク制御センターをさらに備え、前記ネットワーク制御センターは前記双方向無線リンク上で前記無線受信機と通信する、上記［１１］記載のシステム。
［１５］
少なくとも、複数のマルチメディアストリームを再生することに関係する複数のアプリケーションを複数の受信機に与えるために前記ネットワーク制御センターと関係付けられた少なくとも１つのネットワーク制御センター制御装置をさらに備える、上記［１４］記載のシステム。
［１６］
双方向無線リンクを経由して、少なくとも、複数のマルチメディアストリームを再生することに関係する複数のアプリケーションを複数の受信機に与えるために、放送ネットワークオペレーションセンターと関係付けられた少なくとも１つのネットワークオペレーション制御装置(NOC）をさらに備える、上記［１４］記載のシステム。
［１７］
下記を備える、無線通信デバイスにマルチメディアストリームを与える方法、
無線放送チャネル上で前記マルチメディアストリームを放送することと、
前記デバイス上に前記マルチメディアストリームを表示するのに必要な制御データを、双方向無線リンク上で送信すること。
［１８］
少なくともいくらかの制御データは前記無線デバイスに送信される、上記［１７］記載の方法。
［１９］
少なくともいくらかの制御データは前記無線デバイスから送信される、上記［１７］記載の方法。
［２０］
前記双方向無線リンクは、放送チャネルと関係付けられていない、上記［１７］記載の方法。
［２１］
放送チャネルは単方向である、上記［１７］記載の方法。
［２２］
放送リンクは、複数のＣＤＭＡの原理、複数のＧＳＭの原理、および複数のＯＦＤＭの原理の中の少なくとも１つによって特徴付けられる、上記［２１］記載の方法。
［２３］
前記双方向無線リンクは、ＣＤＭＡリンク、ＧＳＭリンク、およびＯＦＤＭリンクの中の少なくとも１つである、上記［１７］記載の方法。
［２４］
前記双方向無線リンクは、802.11リンク、ブルートゥースリンク、および衛星リンクの中の少なくとも１つであり、ポイント ツウ ポイント無線通信リンクである、上記［１７］記載の方法。
［２５］
受信機は、前記マルチメディアストリームを表示するための少なくとも１つのディスプレイと、マルチメディアオーディオデータの提示のための少なくとも１つのスピーカとをもつ移動通信デバイスである、上記［１７］記載の方法。
［２６］
前記制御データは、前記マルチメディアストリームを解読するのに役立つ少なくとも１つのキーを含む、上記［１７］記載の方法。
［２７］
前記制御データは、マルチメディア放送サービスへの加入と関係付けられたデータを含む、上記［１７］記載の方法。
［２８］
前記制御データは、マルチメディア放送ネットワーク上の登録と関係付けられたデータ、前記マルチメディアデータを再生するのに役立つ少なくとも１つのアプリケーション、課金情報、およびユーザの複数の好みに関係するデータの中の少なくとも１つを含む、上記［１７］記載の方法。
［２９］
前記制御データは、前記マルチメディアストリームを与えることに関係するサービスの複数のレベルに関係するデータを含む、上記［１７］記載の方法。
［３０］
前記マルチメディアストリームはディジタルであり、暗号化される、上記［１７］記載の方法。
［３１］
前記制御データは、前記マルチメディアストリームのデインターリービング、暗号化、圧縮解除、および復号に役立つデータを含む、上記［１７］記載の方法。
［３２］
前記制御データは、チャネルの選択および追跡のために、前記マルチメディアストリーム中へインデックスを付けるのに役立つデータを含む、上記［１７］記載の方法。
［３３］
双方向リンク上で、複数のサービスおよび複数の製品のうちの少なくとも一方を注文することを備える、上記［１７］記載の方法。
［３４］
下記を備える、少なくとも２つの通信リンクを使用して通信することができる無線クライアント局、
放送チャネル上で受信したディジタルマルチメディアストリームと、双方向無線リンク上で受信した制御データとを受信する少なくとも１つのプロセッサ、ここにおいて、前記プロセッサは、前記制御データを使用して、ディスプレイ上に前記マルチメディアストリームを提示できるようにする。
［３５］
前記双方向無線リンクは、前記放送チャネルと関係付けられていない、上記［３４］記載のクライアント局。
［３６］
前記放送チャネルは、単方向である、上記［３４］記載のクライアント局。
［３７］
前記双方向無線リンクは、ＣＤＭＡリンク、802.11リンク、ＧＳＭリンク、衛星リンク、およびブルートゥースリンクの中の少なくとも１つである、上記［３４］記載のクライアント局。
［３８］
前記双方向無線リンクは、ポイント ツウ ポイント無線通信リンクである、上記［３４］記載のクライアント局。
［３９］
前記制御データは、前記マルチメディアストリームを解読するのに役立つ少なくとも１つのキーを含む、上記［３４］記載のクライアント局。
［４０］
前記制御データは、マルチメディア放送サービスへの加入と関係付けられたデータおよび／またはマルチメディア放送ネットワーク上の登録と関係付けられたデータを含む、上記［３４］記載のクライアント局。
［４１］
前記制御データは、前記マルチメディアデータを再生するのに役立つ少なくとも１つのアプリケーションを含む、上記［３４］記載のクライアント局。
［４２］
前記制御データは、ユーザの複数の好みに関係する課金情報データおよび／または前記マルチメディアストリームを与えることに関係するサービスの複数のレベルに関係するデータを含む、上記［３４］記載のクライアント局。
［４３］
前記マルチメディアストリームはディジタルであり、暗号化される、上記［３４］記載のクライアント局。
［４４］
前記制御データは、前記マルチメディアストリームをデインターリービング、解読、圧縮解除、および復号するのに役立つデータを含む、上記［３４］記載のクライアント局。
［４５］
前記制御データは、チャネルの選択および追跡のために、前記マルチメディアストリーム中へインデックスを付けるのに役立つデータを含む、上記［３４］記載のクライアント局。
［４６］
複数のサービスおよび複数の製品のうちの少なくとも一方が双方向リンク上で注文されることができる、上記［３４］記載のクライアント局。
［４７］
下記を備える、無線通信デバイスにマルチメディアストリームを与えるシステム、
無線放送チャネル上で前記マルチメディアストリームを放送するための手段と、
前記デバイス上に前記マルチメディアストリームを表示するのに必要な制御データを、双方向無線リンク上で、送信するための手段。
［４８］
前記マルチメディアストリームを暗号化するための手段をさらに備える、上記［４７］記載のシステム。
［４９］
前記暗号化手段と通信するための手段は、そこから複数のキーを少なくとも受信するためのものであり、前記手段は前記双方向無線リンク上で無線受信機と通信するためのものである、上記［４８］記載のシステム。
［５０］
複数のマルチメディアストリームを再生することに関係する複数のアプリケーションを、複数の受信機に与えるための、前記通信するための手段と通信する、手段をさらに備える、上記［４９］記載のシステム。
【外国語明細書】
2011250425000001.pdf